(57)【要約】【課題】重畳撮影中に携帯端末に着信があった場合でも、重畳映像に意図しない映像が含まれないようする。【解決手段】第１の装置５は、着信があった場合に、その着信があった旨の着信通知情報を第２の装置１に出力する着信通知手段と、取得した撮像データを第２の装置１に送信する送信手段とを備える。第２の装置１は、第１の装置５の送信手段が送信した撮像データを受信する受信手段と、取得した撮像データと受信手段が受信した撮像データとを重畳した重畳映像を生成する重畳映像生成手段と、第１の装置５の着信通知手段が出力した着信通知情報を受信する着信情報受信手段とを備える。【選択図】図４
2013145986.tif 000002
【特許請求の範囲】
【請求項１】
撮像機能と通話機能を有する第１の装置と、撮像機能を有する第２の装置とからなる重畳撮影システムであって、
前記第１の装置は、
着信があった場合に、その着信があった旨の着信通知情報を前記第２の装置に出力する着信通知手段と、
取得した撮像データを前記第２の装置に送信する送信手段とを備え、
前記第２の装置は、
前記第１の装置の前記送信手段が送信した撮像データを受信する受信手段と、
取得した撮像データと前記受信手段が受信した撮像データとを重畳した重畳映像を生成する重畳映像生成手段と、
前記第１の装置の前記着信通知手段が出力した前記着信通知情報を受信する着信情報受信手段とを備えることを特徴とする重畳撮影システム。
【請求項２】
前記第２の装置はさらに、前記着信情報受信手段が前記着信情報を受信すると、前記重畳映像と共に、その着信を示す画像を表示する表示部を備えることを特徴とする請求項１に記載の重畳撮影システム。
【請求項３】
前記第２の装置はさらに、前記着信情報受信手段が前記着信情報を受信すると、その着信への応答を許可する旨の情報を前記第１の装置に送信する送信部を備えることを特徴とする請求項１又は２に記載の重畳撮影システム。
【請求項４】
前記第２の装置はさらに、前記着信情報受信手段が前記着信情報を受信すると、その着信への応答を許可する旨又は許可しない旨のいずれかの情報を前記第１の装置に送信する送信部を備えることを特徴とする請求項１又は２に記載の重畳撮影システム。
【請求項５】
前記第２の装置はさらに、前記情報を送信するか否かを決定する決定部を備え、
前記送信部は、前記決定部が送信する旨を決定した場合に、前記情報を送信することを特徴とする請求項３又は４に記載の重畳撮影システム。
【請求項６】
前記第２の装置はさらに、前記第１の装置が通話状態になったか又は切断状態になったかを示す画像を表示する接続状態表示部を備えることを特徴とする請求項１〜５のいずれか１項に記載の重畳撮影システム。
【請求項７】
前記第１の装置はさらに、前記第２の装置から着信への応答を拒否する旨の情報を受信した場合に、録音機能の実行を促す画像を表示する対応誘導表示部を備えることを特徴とする請求項４に記載の重畳撮影システム。
【請求項８】
撮像手段と、
通話機能を有する端末装置が取得した撮像データを受信する受信手段と、
前記撮像手段が取得した撮像データに前記受信手段により受信された撮像データを重畳させて重畳映像を生成する重畳映像生成手段と、
前記端末装置への着信を通知する着信通知情報を受信する着信情報受信手段とを備えることを特徴とする撮像装置。
【請求項９】
撮像手段と、
通話手段と、
前記撮像手段により取得した撮像データを撮像装置に送信する送信手段と、
着信があった場合に、その着信があった旨の着信通知情報を前記撮像装置に出力する着信通知手段とを備える端末装置。
【請求項１０】
撮像機能と通話機能を有する第１の装置及び撮像機能を有する第２の装置により取得された複数の撮像データを重畳した重畳映像を生成する重畳撮影方法であって、
前記第１の装置に着信があった場合に、その着信があった旨の着信通知情報を前記第２の装置に出力する着信通知ステップと、
前記第１の装置が取得した撮像データを前記第２の装置に送信する送信ステップと、
前記第１の装置の前記送信手段が送信した撮像データを前記第２の装置が受信する受信ステップと、
前記第２の装置が取得した撮像データと前記受信手段が受信した撮像データとを重畳して前記重畳映像を生成する重畳映像生成ステップと、
前記第１の装置の前記着信通知手段が出力した前記着信情報を受信する着信情報受信ステップと、
前記第２の装置が前記着信情報受信ステップにより前記着信情報を受信すると、前記重畳映像と共に、その着信を示す画像を表示する表示ステップとを備えることを特徴とする重畳撮影方法。
【請求項１１】
撮像機能と通話機能を有し、複数の撮像データを重畳した重畳映像を生成するシステムにおいて使用される電話装置に内蔵されるコンピュータに、
前記電話装置に着信があった場合に、その着信があった旨の着信通知情報を、前記重畳映像を生成する撮像装置に出力する着信通知処理と、
前記電話装置が取得した撮像データを前記撮像装置に送信する送信処理とを実行させるための重畳撮影プログラム。
【発明の詳細な説明】
【技術分野】
【０００１】
本発明は、複数の装置により取得された複数の撮像データを重畳させて１つの映像を生成する重畳撮影技術に関する。
【背景技術】
【０００２】
近年、撮像機能及び通話機能を有する携帯端末（カメラ付携帯電話等）が広く利用されている。また、このような携帯端末を含む各種撮像装置は、近年の通信技術の発達により、相互に撮像データの送受信が可能なように接続され得る。上記携帯端末に関する技術として、例えば下記文献が開示されている。
【０００３】
特許文献１には、動画撮影中に着信が発生すると、着信音をミュートすると共に、着信が発生したことを報知するメッセージをファインダに表示する構成が開示されている。
【０００４】
特許文献２には、マナーモード設定状態でカメラユニットを動作させて写真を撮影している時に着信があった場合に、バイブレータを動作させず、ＬＥＤの点滅により着信を通知する構成が開示されている。
【０００５】
特許文献３には、カメラモードにある状態で着信があった時、その着信信号等に基づいて自動的にカメラのシャッターが操作されることにより、他の電話機によりシャッターを自動的に操作できるようにする構成が開示されている。
【０００６】
上述のように、各種撮像装置が通信可能となることにより、例えば上記携帯端末により取得された撮像データを他の撮像装置（ビデオカメラ、カムコーダ等）に転送することが可能となる。そして、当該撮像装置により取得された撮像データに、当該携帯端末から転送された撮像データを重畳させて１つの映像を生成する重畳撮影を行うことが可能となる。この時、近年の通信技術の向上により、重畳映像の確認と記録とを、重畳撮影の実行と略同時に行うことが可能となる。
【先行技術文献】
【特許文献】
【０００７】
【特許文献１】特開２００５−１９１８９９号公報
【特許文献２】特開２００４−４０３１３号公報
【特許文献３】特開２００３−１８２５４号公報
【発明の概要】
【発明が解決しようとする課題】
【０００８】
しかし、上記のような撮像機能及び通話機能を有する携帯端末においては、上記先行技術が示すように、撮像機能の実行中に着信があることが想定される。この場合、携帯端末のユーザが当該着信に応じて通話を行うと、当該携帯端末の撮像方向、つまりレンズの向きが変わり、意図しない映像が撮られることとなる。このような状況が上記重畳撮影中に生ずると、携帯端末により取得された意図しない映像を含んだ重畳映像が記録されてしまう。
【０００９】
そこで、本発明は、重畳撮影中に携帯端末に着信があった場合でも、重畳映像に意図しない映像が含まれないようすることを目的とする。
【課題を解決するための手段】
【００１０】
本発明の第１の態様は、撮像機能と通話機能を有する第１の装置（５）と、撮像機能を有する第２の装置（１）とからなる重畳撮影システムであって、前記第１の装置（５）は、着信があった場合に、その着信があった旨の着信通知情報を前記第２の装置（１）に出力する着信通知手段と、取得した撮像データを前記第２の装置（１）に送信する送信手段とを備え、前記第２の装置（１）は、前記第１の装置（５）の前記送信手段が送信した撮像データを受信する受信手段と、取得した撮像データと前記受信手段が受信した撮像データとを重畳した重畳映像を生成する重畳映像生成手段と、前記第１の装置（５）の前記着信通知手段が出力した前記着信通知情報を受信する着信情報受信手段とを備えるものである。
【００１１】
上記構成によれば、第１の装置に着信があった場合にその旨が第２の装置に通知され、第２の装置のユーザは、重畳映像の状況に応じて第１の装置の通話を許可するか否かを決定して第１の装置のユーザに知らせることができる。
【００１２】
また、上記態様において、前記第２の装置はさらに、前記着信情報受信手段が前記着信情報を受信すると、前記重畳映像と共に、その着信を示す画像を表示する表示部を備えることが好ましい。
【００１３】
また、前記第２の装置はさらに、前記着信情報受信手段が前記着信情報を受信すると、その着信への応答を許可する旨の情報を前記第１の装置に送信する送信部を備えることが好ましい。
【００１４】
また、前記第２の装置はさらに、前記着信情報受信手段が前記着信情報を受信すると、その着信への応答を許可する旨又は許可しない旨のいずれかの情報を前記第１の装置に送信する送信部を備えることが好ましい。
【００１５】
また、前記第２の装置はさらに、前記情報を送信するか否かを決定する決定部を備え、前記送信部は、前記決定部が送信する旨を決定した場合に、前記情報を送信することが好ましい。
【００１６】
また、前記第２の装置はさらに、前記第１の装置が通話状態になったか又は切断状態になったかを示す画像を表示する接続状態表示部を備えることが好ましい。
【００１７】
また、前記第１の装置はさらに、前記第２の装置から着信への応答を拒否する旨の情報を受信した場合に、録音機能の実行を促す画像を表示する対応誘導表示部を備えることが好ましい。
【００１８】
また、本発明の第２の態様は、撮像手段と、通話機能を有する端末装置が取得した撮像データを受信する受信手段と、前記撮像手段が取得した撮像データに前記受信手段により受信された撮像データを重畳させて重畳映像を生成する重畳映像生成手段と、前記端末装置への着信を通知する着信通知情報を受信する着信情報受信手段とを備えることを特徴とする撮像装置である。
【００１９】
また、本発明の第３の態様は、撮像手段と、通話手段と、前記撮像手段により取得した撮像データを撮像装置に送信する送信手段と、着信があった場合に、その着信があった旨の着信通知情報を前記撮像装置に出力する着信通知手段とを備える端末装置である。
【００２０】
また、本発明の第４の態様は、撮像機能と通話機能を有する第１の装置及び撮像機能を有する第２の装置により取得された複数の撮像データを重畳した重畳映像を生成する重畳撮影方法であって、前記第１の装置に着信があった場合に、その着信があった旨の着信通知情報を前記第２の装置に出力する着信通知ステップと、前記第１の装置が取得した撮像データを前記第２の装置に送信する送信ステップと、前記第１の装置の前記送信手段が送信した撮像データを前記第２の装置が受信する受信ステップと、前記第２の装置が取得した撮像データと前記受信手段が受信した撮像データとを重畳して前記重畳映像を生成する重畳映像生成ステップと、前記第１の装置の前記着信通知手段が出力した前記着信情報を受信する着信情報受信ステップと、前記第２の装置が前記着信情報受信ステップにより前記着信情報を受信すると、前記重畳映像と共に、その着信を示す画像を表示する表示ステップとを備えることを特徴とする重畳撮影方法である。
【００２１】
また、本発明の第５の態様は、撮像機能と通話機能を有し、複数の撮像データを重畳した重畳映像を生成するシステムにおいて使用される電話装置に内蔵されるコンピュータに、前記電話装置に着信があった場合に、その着信があった旨の着信通知情報を、前記重畳映像を生成する撮像装置に出力する着信通知処理と、前記電話装置が取得した撮像データを前記撮像装置に送信する送信処理とを実行させるための重畳撮影用プログラムである。
【発明の効果】
【００２２】
本発明によれば、重畳撮影中に第１の装置（携帯電話等）に着信があった場合でも、重畳映像に意図しない映像が含まれないよう対応することが可能となる。
【図面の簡単な説明】
【００２３】
【図１】本発明の重畳撮影システムが適用される状況を例示する図である。
【図２】本発明の実施の形態に係る撮像装置の内部構成を例示する図である。
【図３】本発明の実施の形態に係る携帯電話の内部構成を例示する図である。
【図４】本発明の実施の形態に係る撮像装置及び携帯電話の重畳撮影時における動作を例示するフローチャートである。
【図５】重畳映像を例示する図である。
【図６】着信通知情報が表示された重畳映像を例示する図である。
【図７】通話可否選択情報が表示された重畳映像を例示する図である。
【図８】携帯電話のユーザにより通話が選択された場合であって接続状態通知情報が表示された映像を例示する図である。
【図９】応答指示情報を含む携帯電話の映像を例示する図である。
【図１０】応答指示情報を含む携帯電話の映像を例示する図である。
【発明を実施するための形態】
【００２４】
以下、図面を参照して本発明の実施の形態について説明する。図１は、本発明の重畳撮影システムが適用される状態を例示している。本例においては、撮像装置１と撮像機能付電話装置（以下、携帯電話と略記する）５とがＷｉ−Ｆｉ(Wireless Fidelity)接続されている。
【００２５】
撮像装置１は、動画を撮像及び記録する機能、他の電子機器とＷｉ−Ｆｉ接続を確立する機能等を有するものであり、例えばカムコーダ等がこれに該当する。携帯電話５は、通話機能、動画を撮像する機能、他の電子機器とＷｉ−Ｆｉ接続を確立する機能等を有するものであり、例えばスマートフォン等がこれに該当する。
【００２６】
図２は、撮像装置１の内部構成を例示している。中央制御部４００は、ＣＰＵ、各種プログラムが格納されたＲＯＭ、及びワークエリアとしてのＲＡＭ等を含む半導体集積回路により構成され、撮像装置１全体の処理を統括的に制御する。本実施の形態に係る中央制御部４００は、重畳撮影部４０１、着信通知部４０２、応答指示通知部４０３、及び接続状態通知部４０４を有する。これらの機能部については後に詳述する。
【００２７】
撮像装置１は、ズームレンズ１０１、フォーカスレンズ１０２、絞り１０３、及び撮像素子１０４で構成される撮像部１００を有する。ズームレンズ１０１は図示しないズームアクチュエータによって光軸ＬＡに沿って移動する。同様に、フォーカスレンズ１０２は、図示しないフォーカスアクチュエータによって光軸ＬＡに沿って移動する。絞り１０３は、図示しない絞りアクチュエータに駆動されて動作する。撮像素子１０４は、ＣＣＤ（Charge Coupled Device）やＣＭＯＳ（Complementary Metal Oxide Semiconductor）等で構成される。
【００２８】
撮像装置１を用いた撮像は以下の手順で行われる。撮像素子１０４はズームレンズ１０１、フォーカスレンズ１０２、及び絞り１０３を通過した光を光電変換して、被写体のアナログ画像信号を生成する。
【００２９】
アナログ画像信号処理部１０５が、このアナログ画像信号を増幅した後、画像Ａ／Ｄ変換部１０６が、その増幅された信号をデジタル画像データに変換する。画像入力コントローラ１０７は、画像Ａ／Ｄ変換部１０６から出力されたデジタル画像データを撮像データとして取り込んで、バス２００を介してメインメモリ２０６に格納する。
【００３０】
デジタル信号処理部１０８は、バス２００を介して中央制御部４００からの指令に基づき、メインメモリ２０６に格納された撮像データを取り込み、所定の信号処理を施して輝度信号と色差信号とからなるデータを生成する。デジタル信号処理部１０８はまた、オフセット処理、ホワイトバランス調整処理、ガンマ補正処理、ＲＧＢ補完処理、ノイズ低減処理、輪郭補正処理、色調補正処理、光源種別判定処理等の各種デジタル補正を行う。
【００３１】
マイク１０９は撮像時の周囲の音声を周音し、アナログ音声信号を生成する。アナログ音声信号処理部１１０がそのアナログ音声信号を増幅した後、音声Ａ／Ｄ変換部１１１が、その増幅された信号をデジタル音声データに変換する。音声入力コントローラ１１２は、音声Ａ／Ｄ変換部１１１から出力されたデジタル音声データを撮像データと併せてメインメモリ２０６に格納する。
【００３２】
多重化部１１３は、メインメモリ２０６に格納された撮像データ及びデジタル音声データを多重化しストリームデータを生成する。
【００３３】
圧縮・伸長処理部２０１は、バス２００を介して中央制御部４００からの指示に従い、メインメモリ２０６に格納されたストリームデータに所定の圧縮処理を施し、圧縮データを生成する。また、中央制御部４００からの指令に従い、カード型記録媒体３０２等に格納された圧縮データに所定形式の伸張処理を施し、非圧縮データを生成する。
【００３４】
なお、本実施の形態の撮像装置１では、静止画像に対してはＪＰＥＧ規格に準拠した圧縮方式が、動画像に対してはＭＰＥＧ２規格やＡＶＣ／Ｈ．２６４規格に準拠した圧縮方式が採用される。
【００３５】
音声・画像処理部２０２は、バス２００を介して中央制御部４００の指示に従い、メインメモリ２０６から読み出したデジタルデータに所定の画像処理を施す。例えばメニュー画像やＯＳＤ画像等、各種処理のための画像データを生成し、その画像データをメインメモリ２０６から読み出されたオリジナルの撮像データに重畳させて液晶モニタ３０４に出力する。この出力によって、液晶モニタ３０４に表示される画像は各種画像データが合成されたものとなる。
【００３６】
ＲＯＭ２０３はバス２００を介して中央制御部４００に接続されており、中央制御部１００が実行する制御プログラム及び制御に必要な各種データ等を格納している。フラッシュＲＯＭ２０４は、ユーザの設定情報等、撮像装置１の動作に関する各種設定情報を格納している。撮像装置１は、様々な撮像のシチュエーションに応じて、いくつかの撮像モードと、各モードにあわせた撮像条件の設定を予めフラッシュＲＯＭ２０４に記憶している。そして、ユーザは撮像を開始する前に、各モードの中から最適なモードを選択することにより、最適な撮像条件で撮像を実施することができる。例えば、特定の人物の撮像に適した「ポートレートモード」、運動会等の撮像に適した「スポーツモード」、又は夜景等の暗い場所の撮像に適した「夜景モード」等である。
【００３７】
ＶＲＡＭ２０５は、表示用の画像データの一時記憶領域として使用される。メインメモリ２０６は、各種画像データの一時記憶領域として使用されるとともに、中央制御部１００の演算作業領域としても使用される。
【００３８】
メディア制御部２０７は、中央制御部４００の指令に従い、カードＩ／Ｆ３０１を通じてカード型記録媒体３０２へのデータの書き込みやデータの読み出しを制御する。
【００３９】
ジャイロセンサ２０８は、３軸の加速度及び角速度の変化を検出し、撮像装置１のパン・チルト量や上下及び左右の手ぶれ量を検出する。時計２０９は、撮像データの取得日時の情報を生成する。
【００４０】
液晶モニタ３０４、スピーカ３０５、操作部３０６及び入出力端子３０７は入出力Ｉ／Ｆ３０３に接続されている。液晶モニタ３０４は、例えばＶＲＡＭ２０５やメインメモリ２０６に一時記録された撮像データや各種メニュー画像データ等、各種画像データから生成された画像を表示する。スピーカ３０５は、例えばメインメモリ２０５に一時記録された音声を出力する。操作部３０６は、図示しないリレーズ・スイッチや電源スイッチを含む操作キー、十字キー、ジョイスティック、又は液晶モニタ３０４上に重畳されたタッチパネル等から構成されており、ユーザの撮像装置１への操作入力を受け付ける。入出力端子３０７は、図示しないテレビモニタやＰＣ（Personal Computer）等に接続される。
【００４１】
無線モジュール３０９は、バス２００及び無線Ｉ／Ｆ３０８を介して、携帯電話５とＷｉ−Ｆｉ接続を確立し、各種情報の送受信を行う。携帯電話５のカメラにより取得された撮像データは、無線モジュール３０９及び無線Ｉ／Ｆ３０８を介して受信され、メインメモリ２０６に記録される。
【００４２】
図３は、携帯電話５の内部構成を例示している。中央制御部９００は、ＣＰＵ、各種プログラムが格納されたＲＯＭ、及びワークエリアとしてのＲＡＭ等を含む半導体集積回路により構成され、携帯電話５全体の処理を統括的に制御する。本実施の形態に係る中央制御部９００は、重畳撮影部９０１、着信通知部９０２、応答指示通知部９０３、接続状態通知部９０４、通話撮像対応部９０５、及び対応誘導部９０６を有する。これらの機能部については後に詳述する。
【００４３】
携帯電話５は、撮像部５００、アナログ画像信号処理部５０５、画像Ａ／Ｄ変換部５０６、画像入力コントローラ５０７、デジタル信号処理部５０８、マイク５０９、アナログ音声信号処理部５１０、音声Ａ／Ｄ変換部５１１、音声入力コントローラ５１２、多重化部５１３、バス６００、圧縮・伸張処理部６０１、音声・画像処理部６０２、ＲＯＭ６０３、フラッシュＲＯＭ６０４、ＶＲＡＭ６０５、メインメモリ６０６、ジャイロセンサ６０８、時計６０９、入出力Ｉ／Ｆ７０３、液晶モニタ７０４、スピーカ７０５、操作部７０６、及び入出力端子７０７を有する。これらの機能部は、携帯電話５の撮像機能に関与するものであり、撮像機能を実現するための基本的な作用において、上記撮像装置１の対応する各機能部１００，１０５，１０６，１０７，１０８，１０９，１１０，１１１，１１２，１１３，２００，２０１，２０２，２０３，２０４，２０５，２０６，２０８，２０９，３０３，３０４，３０５，３０６，３０８，３０９，４０３，４０４，４０５，４０６，４０７と同様である。
【００４４】
携帯電話５は、上記機能部の他に、無線Ｉ／Ｆ７０８、無線モジュール７０９、通信Ｉ／Ｆ７１０、及び通信モジュール７１１を有する。
【００４５】
無線モジュール７０９は、バス６００及び無線Ｉ／Ｆ７０８を介して、撮像装置１の無線モジュール３０９とＷｉ−Ｆｉ接続を確立する。撮像部５００により取得された撮像データ等は、当該Ｗｉ−Ｆｉ接続を介して撮像装置１に送信される。
【００４６】
通信Ｉ／Ｆ７１０及び通信モジュール７１１は、携帯電話５の通話、電子メール等の機能を実現するために基地局と無線通信を確立するための機能部である。通信モジュール７１１を介して取得される着信情報、通話・電子メール機能の使用状態等は、中央制御部９００により把握される。通信モジュール７１１を介して取得される着信情報、通話機能の使用状態等の各種情報は、上記Ｗｉ−Ｆｉ接続を介して撮像装置１に送信される。
【００４７】
以下に、撮像装置１の中央制御部４００及び携帯電話５の中央制御部９００の各機能部について説明する。
【００４８】
重畳撮影部４０１及び重畳撮影部９０１は、撮像装置１の撮像部１００により取得された撮像データと、携帯電話５の撮像部５００により取得された撮像データとを重畳させた重畳映像を生成する。
【００４９】
着信通知部４０２及び着信通知部９０２は、携帯電話５に着信があった場合に、着信があった旨の着信通知情報を撮像装置１の液晶モニタ３０４に表示させる。
【００５０】
応答指示通知部４０３及び応答指示通知部９０３は、上記着信通知情報が撮像装置１に表示された後に、携帯電話５のユーザが当該着信に応答することを許可するか否かを撮像装置１のユーザに決定させ、当該決定の結果を示す応答指示情報を携帯電話５の液晶モニタ７０４に表示させる。
【００５１】
接続状態通知部４０４及び接続状態通知部９０４は、上記応答指示情報が携帯電話５に表示された後に、携帯電話５が通話状態になったか切断状態になったかを示す接続状態情報を撮像装置１の液晶モニタ３０４に表示させる。
【００５２】
携帯電話５の通話撮像対応部９０５は、携帯電話５が通話状態になった時に自機の撮像機能を中断し、切断状態になった時に撮像機能を復帰させる。
【００５３】
携帯電話５の対応誘導手段９０６は、撮像装置１から送信された上記応答指示情報が着信に応答することを拒否する旨である場合に、録音機能（留守番電話機能）等の実行を促す対応誘導情報を、携帯電話５の液晶モニタ７０４に表示させる。
【００５４】
図４は、重畳撮影時における撮像装置１及び携帯電話５の動作を例示している。撮像装置１の複数の撮影モードのうち重畳撮影モードを起動させると共に、携帯電話５にインストールされた複数のアプリケーションのうち重畳撮影アプリを起動させると（Ｓ１０１，Ｓ５０１）、撮像装置１と携帯電話５との間でＷｉ−Ｆｉ接続が確立する（Ｓ１０２，Ｓ５０２）。
【００５５】
その後、撮像装置１及び携帯電話５によりそれぞれ撮像処理が実行され（Ｓ１０３，Ｓ５０３）、携帯電話５により取得された撮像データが撮像装置１に略リアルタイムに送信される（Ｓ５０４）。
【００５６】
撮像装置１は、携帯電話５から撮像データを受信すると（Ｓ１０４）、自らが取得した撮像データと当該受信した撮像データとを重畳した重畳映像を生成する（Ｓ１０５）。
【００５７】
図５は、当該重畳映像１０を例示している。重畳映像１０には、メイン映像１１及びサブ映像１２が含まれている。メイン映像１１は、撮像装置１により取得された映像であり、本例においては、舞台上でショーを披露する人の映像である。サブ映像１２は、携帯電話５により取得された映像であり、本例においては、観客席で当該ショーを観覧する人の映像である。当該重畳映像１０は、重畳撮影の実行時に略リアルタイムで撮像装置１の液晶モニタ３０４に表示され、メインメモリ２０６に記録される。
【００５８】
その後、携帯電話５に着信があると（Ｓ５０５）、着信があった旨の着信通知信号が撮像装置１に送信される（Ｓ５０６）。撮像装置１は、当該着信通知信号を受信すると（Ｓ１０６）、液晶モニタ３０４に上記着信通知情報を表示する（Ｓ１０７）。
【００５９】
図６は、着信通知情報１３が表示された重畳映像１０を例示している。本例においては、携帯電話５に着信があったことを示す着信通知情報１３が当該携帯電話５により取得されたサブ映像１２の近傍に表示されている。
【００６０】
その後、撮像装置１の液晶モニタ３０４に、携帯電話５のユーザが当該着信に応答することを許可するか否かを撮像装置１のユーザに選択させる通話可否選択情報が表示される（Ｓ１０８）。
【００６１】
図７は、通話可否選択情報１４が表示された重畳映像１０を例示している。本例においては、撮像装置１のユーザの操作により、携帯電話５のユーザの通話を許可するか（ＹＥＳ）、拒否するか（ＮＯ）を選択できるようになっている。
【００６２】
その後、上記選択が行われると、その結果が携帯電話５に送信される（Ｓ１０９）。携帯電話５は、当該結果を受信すると（Ｓ５０７）、当該結果を示す応答指示情報を液晶モニタ７０４に表示させる（Ｓ５０８）。
【００６３】
図９及び図１０は、上記応答指示情報２１を含む携帯電話５の液晶モニタ７０４の映像を例示している。図９は、通話を許可する旨の応答指示情報２１を示している。図１０は、通話を拒否する旨の応答指示情報２１を示している。また、これらの例に係る映像には、携帯電話５のユーザに、着信に対してどのような対応をとるのか選択させるための対応誘導情報２２が含まれている。本例に係る対応誘導情報２２には、「通話」、「切断」、「録音」、「保留」の選択肢が含まれている。携帯電話５のユーザは、これらの選択肢の中から自らの操作により１つを選択して実行することができる。
【００６４】
ここで、通話を切断した時点では、携帯電話５のカメラが被写体に向いていない可能性がある。従って、通話切断後に改めて携帯電話５のユーザが撮影を再開すると、撮像装置１による重畳処理が再開されるようにしてもよい。その際には、「通話中の撮影を中断しました。撮影を再開するには記録ボタンを押してください」等のアナウンスを表示するようにしてもよい。
【００６５】
その後、携帯電話５のユーザは、上記図９、図１０に示すような映像を見ながら、着信への対応を行う（Ｓ５０９）。当該ユーザが通話を選択した場合（Ｓ５１０）、携帯電話５の撮像機能が停止する（Ｓ５１１）と共に、撮像装置１の重畳処理が停止される（Ｓ１１０）。
【００６６】
図８は、携帯電話５のユーザにより通話が選択された場合における撮像装置１の映像２０を例示している。当該映像２０には、上記サブ映像１２が含まれておらず、携帯電話５が通話状態にあることをしめす接続状態通知情報１５が表示されている。
【００６７】
その後、当該通話が切断されると（Ｓ５１２）、携帯電話５の撮像機能が再開し（Ｓ５１３）、撮像装置１による重畳処理が再開される（Ｓ１１２）
【００６８】
一方、上記携帯電話５における着信への対応（Ｓ５０９）において、ユーザが切断（Ｓ５１４）、録音（Ｓ５１５）、又は保留（Ｓ５１６）を選択した場合には、撮像装置１による重畳処理は続行される（Ｓ１１１）。
【００６９】
上記構成によれば、携帯電話５の着信があった場合にその旨が撮像装置１に通知され、撮像装置１のユーザは、重畳映像の状況に応じて携帯電話５の通話を許可するか否かを決定して携帯電話５のユーザに知らせることができる。
【００７０】
また、携帯電話５のユーザが通話を行う際には、携帯電話５の撮像機能及び撮像装置１の重畳処理が停止する。これにより、通話時に携帯電話５のレンズの向きが変わることによる意図しない映像の重畳を避けることができる。
【００７１】
なお、上記した装置の機能をプログラムによりコンピュータに実現させるようにしてもよい。このプログラムは、記録媒体から読みとられてコンピュータに取り込まれてもよいし、通信ネットワークを介して伝送されてコンピュータに取り込まれてもよい。
【００７２】
また、本発明は上記実施の形態に限られるものではなく、趣旨を逸脱しない範囲で適宜変更することが可能なものである。
【符号の説明】
【００７３】
１  撮像装置
２  携帯電話
１０  重畳映像
１１  メイン映像
１２  サブ映像
１３  着信通知情報
１４  通話可否選択情報
１５  接続状態通知情報
２０  映像
２１  応答指示情報
２２  対応誘導情報
１００，５００  撮像部
１０５，５０５  アナログ画像信号処理部
１０６，５０６  画像Ａ／Ｄ変換部
１０７，５０７  画像入力コントローラ
１０８，５０８  デジタル信号処理部
１０９，５０９  マイク
１１０，５１０  アナログ音声信号処理部
１１１，５１１  音声Ａ／Ｄ変換部
１１２，５１２  音声入力コントローラ
１１３，５１３  多重化部
２００，６００  バス
２０１，６０１  圧縮・伸張処理部
２０２，６０２  音声・画像処理部
２０３，６０３  ＲＯＭ
２０４，６０４  フラッシュＲＯＭ
２０５，６０５  ＶＲＡＭ
２０６，６０６  メインメモリ
２０７  メディア制御部
２０８，６０８  ジャイロセンサ
２０９，６０９  時計
３０１  カードＩ／Ｆ
３０２  カード型記録媒体
３０３，７０３  入出力Ｉ／Ｆ
３０４，７０４  液晶モニタ
３０５，７０５  スピーカ
３０６，７０６  操作部
３０７，７０７  入出力端子
３０８，７０８  無線Ｉ／Ｆ
３０９，７０９  無線モジュール
４００，９００  中央制御部
４０１，９０１  重畳撮影部
４０２，９０２  着信通知部
４０３，９０３  応答指示通知部
４０４，９０４  接続状態通知部
９０５  通話撮像対応部
９０６  対応誘導部
【図１】
2013145986.tif 000003
【図２】
2013145986.tif 000004
【図３】
2013145986.tif 000005
【図４】
2013145986.tif 000006
【図５】
2013145986.tif 000007
【図６】
2013145986.tif 000008
【図７】
2013145986.tif 000009
【図８】
2013145986.tif 000010
【図９】
2013145986.tif 000011
【図１０】
2013145986.tif 000012